Podtech/llm-jp-corpus-v4-ja_patent huggingface dataset:
【手続補正書】
【提出日】平成20年3月6日(2008.3.6)
【手続補正１】
【補正対象書類名】特許請求の範囲
【補正対象項目名】全文
【補正方法】変更
【補正の内容】
【特許請求の範囲】
【請求項１】
少なくともジフテリア（「Ｄ」）、破傷風（「Ｔ」）、百日咳（「Ｐ」）、およびＨａｅｍｏｐｈｉｌｕｓ  ｉｎｆｌｕｅｎｚａｅ  ｂ型（「Ｈｉｂ」）から被験体を防御するための抗原を含有する組合せワクチンであって、ここで；（ａ）該Ｈｉｂから防御するための抗原は、Ｈｉｂ莢膜糖類の結合体であり；（ｂ）該ワクチン中のＨｉｂ結合体の濃度は、１５μｇ／ｍｌ未満であり；そして（ｃ）該Ｈｉｂ結合体は、一度も凍結乾燥されていない、組合せワクチン。
【請求項２】
貫通可能な封を有し組合せワクチンを含有するバイアルであって、該組合せワクチンは、少なくともジフテリア、破傷風、百日咳、およびＨ．ｉｎｆｌｕｅｎｚａｅ  ｂ型（「Ｈｉｂ」）から被験体を防御するための抗原を含有し、ここで、該Ｈｉｂから防御するための抗原は、Ｈｉｂ莢膜糖類の結合体であり、そして、ここで：（ａ）該ワクチン中のＨｉｂ結合体の濃度は、１５μｇ／ｍｌ未満であり、そして（ｂ）該バイアルの貫通可能な封は、まだ貫通されていない、バイアル。
【請求項３】
少なくともジフテリア、破傷風、百日咳、およびＨ．ｉｎｆｌｕｅｎｚａｅ  ｂ型（「Ｈｉｂ」）から被験体を防御するための抗原を含有する組合せワクチンを含有する、気密密封容器であって、ここで、該Ｈｉｂに対して防御するための抗原は、Ｈｉｂ莢膜糖類の結合体であり、そして、ここで、該ワクチン中のＨｉｂ結合体の濃度は、１５μｇ／ｍｌ未満である、気密密封容器。
【請求項４】
少なくともジフテリア、破傷風、百日咳、およびＨ．ｉｎｆｌｕｅｎｚａｅ  ｂ型（「Ｈｉｂ」）から被験体を防御するための抗原を含有する組合せワクチンを調製するためのプロセスであって、ここで、該Ｈｉｂから防御するための抗原は、Ｈｉｂ莢膜糖類の結合体であり、該ワクチン中のＨｉｂ結合体の濃度は、１５μｇ／ｍｌ未満であり、該プロセスは、以下の工程：（ａ）該Ｈｉｂ結合抗原の凍結乾燥の工程；（ｂ）ジフテリア抗原、破傷風抗原、および百日咳抗原を、混合された形態で、該Ｈｉｂ結合体抗原とは別個に包装する工程
のうち一方または両方を包含しないことで特徴付けられる、プロセス。
【請求項５】
組合せワクチンを容器に挿入するためのプロセスであって、ここで、（ａ）該ワクチンは、少なくともジフテリア、破傷風、百日咳、およびＨ．ｉｎｆｌｕｅｎｚａｅ  ｂ型（「Ｈｉｂ」）から被験体を防御するための抗原を含有し；（ｂ）該Ｈｉｂから防御するための抗原は、Ｈｉｂ莢膜糖類の結合体であり、そして（ｃ）該ワクチン中のＨｉｂ結合体の濃度は、１５μｇ／ｍｌ未満である、プロセス。
【請求項６】
容器にラベルを取り付けるためのプロセスであって、ここで：（ａ）該容器は、少なくともジフテリア、破傷風、百日咳、およびＨ．ｉｎｆｌｕｅｎｚａｅ  ｂ型（「Ｈｉｂ」）から被験体を防御するための抗原を含有する組合せワクチンを含有し；（ｂ）該Ｈｉｂから防御するための抗原は、Ｈｉｂ莢膜糖類の結合体であり、そして（ｃ）該ワクチン中のＨｉｂ結合体の濃度は、１５μｇ／ｍｌ未満である、プロセス。
【請求項７】
組合せワクチンを容器に挿入して次いで該容器から該ワクチンを取り出すためのプロセスであって、ここで：（ａ）該ワクチンは、少なくともジフテリア、破傷風、百日咳、およびＨ．ｉｎｆｌｕｅｎｚａｅ  ｂ型（「Ｈｉｂ」）から被験体を防御するための抗原を含有し；（ｂ）該Ｈｉｂから防御するための抗原は、Ｈｉｂ莢膜糖類の結合体であり、そして（ｃ）該ワクチン中のＨｉｂ結合体の濃度は、１５μｇ／ｍｌ未満である、プロセス。
【請求項８】
少なくともジフテリア（「Ｄ」）、破傷風（「Ｔ」）、百日咳（「Ｐ」）、およびＨ．ｉｎｆｌｕｅｎｚａｅ  ｂ型（「Ｈｉｂ」）から被験体を防御するための抗原を含有する組合せワクチンであって、ここで；（ａ）該Ｈｉｂから防御するための抗原は、Ｈｉｂ莢膜糖類の結合体であり；（ｂ）該ワクチン中のＨｉｂ結合体の濃度は、１５μｇ／ｍｌ未満であり；そして（ｃ）該ワクチンは、（ｉ）水酸化アルミニウムアジュバントを含有せず、そして／または（ｉｉ）硫酸カリウムアルミニウムアジュバントを含有しない、組合せワクチン。
【請求項９】
リン酸アルミニウムアジュバントを含有する、請求項８に記載のワクチン。
【請求項１０】
前記Ｈｉｂ結合体が前記リン酸アルミニウムアジュバントに吸着しない、請求項９に記載のワクチン。
【請求項１１】
前記ジフテリア抗原は、ジフテリア類毒素を含み、前記破傷風抗原は、破傷風類毒素を含み、そして、前記百日咳抗原は、菌体性百日咳成分を含む、請求項１〜１０に記載のワクチン、バイアル、容器、またはプロセス。
【請求項１２】
前記結合体は、ＣＲＭ１９７キャリア、破傷風類毒素キャリア、またはＮ．ｍｅｎｉｎｇｉｔｉｄｉｓの外膜複合体キャリアを含む、請求項１〜請求項１１のいずれか一項に記載のワクチン、バイアル、容器、またはプロセス。
【請求項１３】
前記結合体は、Ｈｉｂのリン酸ポリリボシルリビトールのオリゴ糖フラグメントを含む、請求項１〜請求項１２のいずれか一項に記載のワクチン、バイアル、容器、またはプロセス。
【請求項１４】
前記組合せワクチンは、Ｂ型肝炎ウイルス由来の表面抗原をさらに含有する、請求項１〜請求項１３のいずれか一項に記載のワクチン、バイアル、容器、またはプロセス。
【請求項１５】
前記組合せワクチンは、ポリオ抗原をさらに含有する、請求項１〜請求項１４のいずれか一項に記載のワクチン、バイアル、容器、またはプロセス。
【請求項１６】
哺乳動物において抗体反応を引き起こすためのワクチンであって、請求項１〜請求項１５のいずれか一項に記載のワクチンを含む、ワクチン。
【手続補正書】
【提出日】平成20年3月5日(2008.3.5)
【手続補正１】
【補正対象書類名】特許請求の範囲
【補正対象項目名】全文
【補正方法】変更
【補正の内容】
【特許請求の範囲】
【請求項１】
インスリン抵抗性、２型糖尿病及びメタボリック症候群からなる群から選択される疾患の予防及び／又は治療のための医薬品であって、一般式（I）
【化１】
2007529507.tif 000001
（ここで、
Ｚが、Ｒ３又は−ＣＨ（ＯＨ）−Ｒ３であり；
Ａが、サルフェート、サルフォネート、フォスフェート、フォスフォネート又は−Ｃ（Ｏ）Ｏ−であり；
Ｒ１が、水素、水酸基、アルジトール、アルドース、アルコール、Ｃ１−Ｃ６アルキル又はアミノ酸であり；
Ｒ２が、水素、又は不飽和若しくは飽和（Ｃ１−Ｃ３０）アルキル鎖であり；
Ｒ３が、不飽和又は飽和（Ｃ１−Ｃ３０）アルキル鎖であり；
Ｑ１が、第一級アミン基（−ＮＨ２）、第二級アミン基（−ＮＨ−）又はアミド基（−ＮＨ−ＣＯ−）であり；及び
ｔが、０又は１である）を有するスフィンゴ脂質又はその前駆体、誘導体若しくは医薬的に許容される塩を含む医薬品。
【請求項２】
インスリン抵抗性、２型糖尿病及びメタボリック症候群からなる群から選択される疾患の予防及び／又は治療のための医薬品であって、一般式（II）
【化２】
2007529507.tif 000002
（ここで、
Ｚが、Ｒ３又はＣＨ（ＯＨ）−Ｒ３であり、及び
Ｒ３が、不飽和又は飽和（Ｃ１−Ｃ３０）アルキル鎖である）を有するスフィンゴ脂質又はその前駆体、誘導体若しくは医薬的に許容される塩を含む医薬品。
【請求項３】
インスリン抵抗性、２型糖尿病及びメタボリック症候群からなる群から選択される疾患の予防及び／又は治療のための医薬品であって、一般式（III）
【化３】
2007529507.tif 000003
（ここで、
Ｚが、Ｒ３又はＣＨ（ＯＨ）−Ｒ３、好ましくはＲ３であり；
Ｑ１が、第一級アミン基（−ＮＨ２）、第二級アミン基（−ＮＨ−）又はアミド基（−ＮＨ−ＣＯ−）、好ましくはアミド基であり、及び
Ｒ２が、水素、又は不飽和若しくは飽和（Ｃ１−Ｃ３０）アルキル鎖であり；
Ｒ３が、不飽和又は飽和（Ｃ１−Ｃ３０）アルキル鎖、好ましくは不飽和（Ｃ１−Ｃ３０）アルキル鎖である）を有するスフィンゴ脂質又はその前駆体、誘導体若しくは医薬的に許容される塩を含む医薬品。
【請求項４】
インスリン抵抗性、２型糖尿病及びメタボリック症候群の予防及び／又は治療のために、請求項１に定義された式（I）若しくは請求項２に定義された式（II）若しくは請求項３に定義された式（III）に従うスフィンゴ脂質、又はその前駆体若しくは誘導体を含む食品。
【請求項５】
前記スフィンゴ脂質が、フィトスフィンゴシン、スフィンゴシン、スフィンガニン、セラミド、セレブロシド、及び／又はスフィンゴミエリンである、請求項２に記載の医薬品。
【請求項６】
前記スフィンゴ脂質がスフィンゴミエリンである、請求項３に記載の医薬品。
【請求項７】
健康な非ヒト哺乳動物において、インスリン抵抗性、２型糖尿病及び／又はメタボリック症候群の発生を予防する方法であって、前記非ヒト哺乳動物に、請求項１〜６のいずれか一項に定義されたスフィンゴ脂質又はそれらの前駆体、誘導体若しくは医薬的に許容される塩の強化されたレベルを有する食事を与えることを含む方法。
【請求項８】
インスリン抵抗性、２型糖尿病及び／又はメタボリック症候群を病む非ヒト哺乳動物を治療する方法であって、前記方法は、治療的に有効な量の医薬組成物を治療を必要とする非ヒト哺乳動物に投与することを含み、前記組成物は、請求項１に定義された式（I）若しくは請求項２に定義された式（II）若しくは請求項３に定義された式（III）に従うスフィンゴ脂質又はそれらの前駆体、誘導体若しくは医薬的に許容される塩、並びに医薬的に許容される担体、及び任意的に１以上の賦形剤を含む、方法。
【請求項９】
インスリン抵抗性、２型糖尿病及びメタボリック症候群からなる群から選択される疾患の予防及び／又は治療のために、請求項１に定義された式（I）若しくは請求項２に定義された式（II）若しくは請求項３に定義された式（III）に従うスフィンゴ脂質又はそれらの前駆体若しくは誘導体の強化されたレベルを有する食品を使用する方法。
【請求項１０】
インスリン抵抗性を減少し及び／又は予防するための食事において、請求項１に定義された式（I）若しくは請求項２に定義された式（II）若しくは請求項３に定義された式（III）に従うスフィンゴ脂質又はそれらの前駆体若しくは誘導体の強化されたレベルを有する食品を使用する方法。
【請求項１１】
血流からのグルコースの生理学的除去のための能力を改善するための、及び／又は改善を必要とする対象、好ましくはインスリン抵抗性対象における血糖ホメオスタシスを維持するための能力を改善するための医薬品であって、請求項１〜３のいずれか一項に定義されたスフィンゴ脂質又はその前駆体、誘導体若しくは医薬的に許容される塩を含む医薬品。
【請求項１２】
血流からのグルコースの生理学的除去のための能力を改善するための、及び／又は改善を必要とする対象、好ましくはインスリン抵抗性対象における血糖ホメオスタシスを維持するための能力を改善するための食品又は食品サプリメントの製造のために、請求項１〜３のいずれか一項に定義されたスフィンゴ脂質又はその前駆体、誘導体若しくは医薬的に許容される塩を使用する方法。
【手続補正書】
【提出日】平成20年3月17日(2008.3.17)
【手続補正１】
【補正対象書類名】特許請求の範囲
【補正対象項目名】全文
【補正方法】変更
【補正の内容】
【特許請求の範囲】
【請求項１】
β形のイミドアルカン過カルボン酸の粒状組成物であって、前記過酸を5％〜80質量％の量で含み、前記過酸が親水性又は疎水性の特性を有する支持体に支持され、前記粒状組成物が、サイズが0.25mm〜1.4mmであり且つ20℃における過酸の溶解時間t90が10分未満であることを特徴とする組成物。
【請求項２】
前記イミドアルカン過カルボン酸が、下式(I):
【化１】
2007529590.tif 000001
［式中、Aは以下:
【化２】
2007529590.tif 000002
（ここで、nは、整数0、1又は2であり、
R1は、水素、塩素、臭素、C1-C20アルキル、C2-C20アルケニル、アリール又はアルキルアリールの1つを有し、
R2は、水素、塩素、臭素又は以下の基: -SO3M, -CO2M、-CO3M又は-OSO3Mより選ばれる基であり、
Mは、水素、アルカリ金属、アンモニウム又はアルカリ土類金属の同等物を意味し、
Xは、C1-C19アルキレン又はアリーレンである。)
より選ばれる基である。］
を有し、前記イミドアルカン過カルボン酸が「β結晶」形であり、20℃の温度の洗浄槽における溶解時間t90が10分未満である、請求項1記載の組成物。
【請求項３】
前記イミドアルカン過カルボン酸が、ε-フタルイミドペルオキシヘキサン酸である、請求項2記載の組成物。
【請求項４】
これらの過酸の対応するα形から得られるβ形のイミドアルカン過カルボン酸が用いられる、請求項1〜3のいずれか1項に記載の組成物。
【請求項５】
前記用いられる支持体が、洗浄槽において少なくとも部分的に可溶な物質である、請求項1〜4のいずれか1項に記載の組成物。
【請求項６】
前記支持体のサイズが、0.01mm〜0.35mmである、請求項5記載の組成物。
【請求項７】
前記支持体が、天然ポリマー又は合成ポリマー、金属酸化物又は金属硫酸塩である、請求項5又は6記載の組成物。
【請求項８】
前記支持体が、発熱性を制御するために組成物に添加される固体成分(鈍感剤)からなる、請求項5又は6記載の組成物。
【請求項９】
支持体が、セルロース繊維、多糖類及びデンプンより選ばれる、請求項5〜8のいずれか1項に記載の組成物。
【請求項１０】
前記過酸と前記支持体との質量比が0.1〜4.0であり、組成物の成分の合計が100％である、請求項1〜9のいずれか1項に記載の組成物。
【請求項１１】
ホウ酸、水、及び塩から選択される発熱性を制御するための添加剤（鈍感剤）であって、該塩が、IA、IIA及びIIIA族からの金属の塩であり、かつ、イミドアルカン過カルボン酸と化学的に相溶性であって水和形態で結晶化することができる有機酸又は無機酸の塩であり、硫酸マグネシウム5水和物、乳酸カルシウム水和物及び硫酸カルシウム2水和物より選択されるものである、請求項1〜10のいずれか1項に記載の組成物。
【請求項１２】
キレート化剤及び/又は金属イオン封鎖剤; ポリマー型の水溶性結合剤; 界面活性剤; 粘稠化剤; 表面コーティングのための膜形成剤を含む、請求項1〜11のいずれか1項に記載の組成物。
【請求項１３】
請求項1〜12のいずれか1項に記載の粒状組成物を得る方法であって、
I) 20℃〜65℃の温度で作用する、質量パーセントとして表される20％〜70％の量のイミドアルカン過カルボン酸を含有する水性分散液を調製する工程;
II) 10℃〜65℃の温度で1333Pa〜0.1MPaの圧力で作用する、流動床乾燥剤を用いて、工程I)において調製された水性分散液に存在するイミドアルカン過カルボン酸を支持物質に付着させて、集合体を得る工程;
III) 得られた顆粒を篩過し、サイズが0.25mm〜1.40mmの粒度分析画分を回収する工程
を含む、前記方法。
【請求項１４】
工程I)において、アニオン界面活性剤及び非イオン性界面活性剤より選ばれる界面活性剤、消泡剤及び懸濁化剤が用いられる、請求項13記載の方法。
【請求項１５】
工程I)において、対応するα結晶形から得られるβ結晶形のイミドアルカン過カルボン酸が用いられる、請求項13又は14記載の方法。
【請求項１６】
工程II)において、発熱性を制御するための添加剤(鈍感剤)、キレート化剤及び/又は金属イオン封鎖剤、界面活性剤及び結合剤が更に用いられる、請求項13〜15のいずれか1項に記載の方法。
【請求項１７】
顆粒を10℃〜65℃の温度で1333Pa〜0.1MPaの圧力で乾燥する、請求項13〜16のいずれか1項に記載の方法。
【請求項１８】
洗浄、漂白及び殺菌のための請求項1〜12のいずれか1項に記載の組成物の使用。
【請求項１９】
10℃〜30℃の温度における洗浄と殺菌のための請求項18記載の使用。
【手続補正書】
【提出日】平成20年3月17日(2008.3.17)
【手続補正１】
【補正対象書類名】特許請求の範囲
【補正対象項目名】全文
【補正方法】変更
【補正の内容】
【特許請求の範囲】
【請求項１】
３−Ｏ−（３’,３’−ジメチルスクシニル）ベツリン酸のＮ−メチル−Ｄ−グルカミン塩。
【請求項２】
３−Ｏ−（３’,３’−ジメチルスクシニル）ベツリン酸のジ−（Ｎ−メチル−Ｄ−グルカミン）塩。
【請求項３】
請求項１または２に記載の塩および製薬的に許容し得る担体または希釈剤を含有する医薬組成物。
【請求項４】
担体または希釈剤が水性溶媒である請求項３記載の医薬組成物。
【請求項５】
さらにシクロデキストリンを含有する請求項４記載の医薬組成物。
【請求項６】
さらにヒドロキシプロピル−β−シクロデキストリンを含有する請求項５記載の医薬組成物。
【請求項７】
前記塩を少なくとも１つのさらなる活性成分と組み合わせて含んでなる請求項３〜６のいずれか記載の医薬組成物。
【請求項８】
さらなる活性成分が抗ウイルス剤である請求項７記載の医薬組成物。
【請求項９】
前記塩を免疫調節剤、抗癌剤、抗菌剤、抗真菌剤またはその組合せと組み合わせて含んでなる請求項７記載の医薬組成物。
【請求項１０】
ＨＩＶ感染を処置するための請求項３〜９のいずれかに記載の医薬組成物。
【請求項１１】
Ｎ−メチル−Ｄ−グルカミンと３−Ｏ−（３’,３’−ジメチルスクシニル）ベツリン酸とを水性溶媒中で混合して３−Ｏ−（３’,３’−ジメチルスクシニル）ベツリン酸Ｎ−メチル−Ｄ−グルカミン塩を得ることを含んでなる請求項１記載の塩の製造方法。
【請求項１２】
ヒドロキシプロピル−β−シクロデキストリンの存在下で混合を行う請求項１１記載の方法。
【請求項１３】
請求項３〜１０のいずれかに記載の医薬組成物を含んでなる投与剤形。
【請求項１４】
固体の経口投与剤形、非経口の投与剤形、液体の投与剤形、懸濁液の投与剤形または直腸坐薬である請求項１３記載の投与剤形。
【請求項１５】
錠剤である請求項１４記載の投与剤形。
【手続補正書】
【提出日】平成20年3月17日(2008.3.17)
【手続補正１】
【補正対象書類名】特許請求の範囲
【補正対象項目名】全文
【補正方法】変更
【補正の内容】
【特許請求の範囲】
【請求項１】
視床下部ＡＭＰＫ活性を不活性化する化合物、但しＣ７５を除く、を含有する、食物摂取を調節するための組成物。
【請求項２】
ヒトの食物摂取を調節するためのものである、請求項１の組成物。
【請求項３】
ヒト以外の哺乳類の食物摂取を調節するためのものである、請求項１の組成物。
【請求項４】
食物摂取を減少させるためのものである、請求項１〜３いずれかに記載の組成物。
【手続補正書】
【提出日】平成20年3月17日(2008.3.17)
【手続補正１】
【補正対象書類名】特許請求の範囲
【補正対象項目名】全文
【補正方法】変更
【補正の内容】
【特許請求の範囲】
【請求項１】
１０，１１−ジヒドロ−１０−ヒドロキシ−５Ｈ−ジベンゾ［ｂ，ｆ］アゼピン−５−カルボキサミド（リカルバゼピン）を含む、制御放出型経口用医薬組成物。
【請求項２】
リカルバゼピンおよび親水性または親油性膨潤性物質を含む、請求項１に記載の医薬組成物。
【請求項３】
親水性膨潤性物質が、組成物全体の５〜３５重量％の割合で存在する、請求項２に記載の医薬組成物。
【請求項４】
リカルバゼピンを組成物全体の５５〜８０重量％含む、請求項１から３のいずれか一項に記載の医薬組成物。
【請求項５】
２０から５０μｍの中央粒子サイズ（median particle size）を有するリカルバゼピンを含む、請求項１から４のいずれか一項に記載の医薬組成物。
【請求項６】
錠剤コアおよびコーティングからなり、前記コアが、リカルバゼピン、所望により充填剤、およびセルロースエーテルである少なくとも１個の親水性膨潤性物質を含む、請求項１から５のいずれか一項に記載の医薬組成物。
【請求項７】
ヒドロキシプロピルメチルセルロースを親水性膨潤性物質として用いる、請求項１から６のいずれか一項に記載の医薬組成物。
【請求項８】
総ヒドロキシプロピルメチルセルロースとリカルバゼピンの重量比が、約１：３から約１：１０である、請求項７に記載の医薬組成物。
【請求項９】
微結晶セルロースを含む、請求項１から８のいずれか一項に記載の医薬組成物。
【請求項１０】
リカルバゼピンを含む制御放出型経口用医薬組成物であって、５００ｍｇの剤形について、６．８のｐＨを有するリン酸緩衝液中、５０ｒｐｍの撹拌速度で、３７℃での標準的インビトロ溶解試験において、使用するとき該リカルバゼピンの７０〜９０％が８から１２時間以内に放出される、制御放出型経口用医薬組成物。
【請求項１１】
請求項１０に記載のリカルバゼピンを含む制御放出型経口用医薬組成物であって、５００ｍｇの剤形について、６．８のｐＨを有するリン酸緩衝液中、５０ｒｐｍの撹拌速度で、３７℃での標準的インビトロ溶解試験において、使用するとき該リカルバゼピンの８０〜９０％が８から１２時間以内に放出される、制御放出型経口用医薬組成物。
【請求項１２】
１日１回の投与に適するリカルバゼピンおよび親水性膨潤性物質を含む、制御放出型経口用医薬組成物。
【請求項１３】
感情障害を有する患者の処置用医薬の製造を目的とした、請求項１から１２のいずれか一項に定義のリカルバゼピンおよび賦形剤の使用。
【請求項１４】
リカルバゼピン治療の必要な患者に、請求項１から１２のいずれか一項に記載の医薬組成物を１日１回経口投与することを含む、例えば感情障害の処置のために、リカルバゼピンを経口投与する方法。
【手続補正書】
【提出日】平成20年3月19日(2008.3.19)
【手続補正１】
【補正対象書類名】特許請求の範囲
【補正対象項目名】全文
【補正方法】変更
【補正の内容】
【特許請求の範囲】
【請求項１】
活性剤を含み、そして脂質−活性剤コンプレックスの外表面上にターゲティングリガンドを含んでいる脂質−活性剤コンプレックスを含む、病原体保有細胞へ活性剤を送達するためのターゲティングシステム。
【請求項２】
脂質−活性剤コンプレックスはリポソーム−活性剤コンプレックスである請求項１のターゲティングシステム。
【請求項３】
活性剤は植物レクチンである請求項１のターゲティングシステム。
【請求項４】
ターゲッティングリガンドはフコース、ポリフコース、またはポリフコース誘導体である請求項１のターゲティングシステム。
【請求項５】
活性剤が植物レクチンであるリポソーム−活性剤コンプレックスと、リポソーム−活性剤コンプレックスの外表面上のフコース、ポリフコース、またはポリフコース誘導体を含んでいる、病原体保有細胞へ植物レクチンを送達するためのターゲティングシステム。
【請求項６】
植物レクチンがＣｏｎ−Ａである請求項５のターゲティングシステム。
【請求項７】
植物レクチンがＭＨＬである請求項５のターゲティングシステム。
【請求項８】
リポソーム−活性剤コンプレックスはＣａ２＋および遷移金属イオンをさらに含んでいる請求項５のターゲティングシステム。
【請求項９】
リポソーム−活性剤コンプレックスは二価カチオン、補酵素、酵素活性化剤、またはｐＨ調節剤のような１種以上のアクセサリ因子をさらに含んでいる請求項５のターゲティングシステム。
【請求項１０】
リポソーム−活性剤コンプレックスは５：１ないし７：１の間の脂質対活性剤比を含んでいる請求項５のターゲティングシステム。
【請求項１１】
リポソーム−活性剤コンプレックスは直径３０ないし２５０ｎｍである請求項５のターゲティングシステム。
【請求項１２】
リポソーム−活性剤コンプレックスは３：１ないし１０：１の間の脂質対活性剤比を含む請求項５のターゲティングシステム。
【請求項１３】
リポソーム−活性剤コンプレックスは３：１ないし１００：１の間の脂質対活性剤比を含んでいる請求項５のターゲティングシステム。
【請求項１４】
リポソーム−Ｃｏｎ−Ａコンプレックスを含み、リポソームの外表面はＦｕｃ−４Ｃ−Ｃｈｏｌを含んでいる、ＨＩＶ処置に使用のためのターゲティングシステム。
【手続補正書】
【提出日】平成20年3月11日(2008.3.11)
【手続補正１】
【補正対象書類名】特許請求の範囲
【補正対象項目名】全文
【補正方法】変更
【補正の内容】
【特許請求の範囲】
【請求項１】
被験体における動脈コンプライアンスを増加させるための薬学的処方物であって、ここで該被験体において測定された全体的な動脈コンプライアンスは、健常被験体における全体的な動脈コンプライアンスと比較して該被験体において減少しており、そして該薬学的処方物は、該被験体における動脈コンプライアンスを増加させるために有効な量のレラキシンを含有する、薬学的処方物。
【請求項２】
前記全体的な動脈コンプライアンスが面積法を用いて大動脈圧波形の拡張期の減衰から測定される、請求項１に記載の薬学的処方物。
【請求項３】
前記全体的な動脈コンプライアンスが一回拍出量の脈圧に対する比として計算され、そして該一回拍出量が心拍出量の心拍数に対する比として定義される、請求項１に記載の薬学的処方物。
【請求項４】
前記被験体における前記全体的な動脈コンプライアンスが、該被験体への前記薬学的処方物の投与後少なくとも１０％増加する、請求項１〜３のいずれかに記載の薬学的処方物。
【請求項５】
前記被験体における前記全体的な動脈コンプライアンスが、該被験体への前記薬学的処方物の投与後１５〜２０％増加する、請求項１〜３のいずれかに記載の薬学的処方物。
【請求項６】
前記薬学的処方物が、レラキシンの血清中濃度を０．５〜８０ｎｇ／ｍｌに維持するように所定の速度で前記被験体に投与される、請求項１〜３のいずれかに記載の薬学的処方物。
【請求項７】
前記レラキシンが組換えヒトレラキシンである、請求項１〜３のいずれかに記載の薬学的処方物。
【請求項８】
前記薬学的処方物が毎日投与される、請求項１〜３のいずれかに記載の薬学的処方物。
【請求項９】
前記薬学的処方物が注射可能な処方物である、請求項１〜３のいずれかに記載の薬学的処方物。
【請求項１０】
前記薬学的処方物が徐放性処方物である、請求項１〜３のいずれかに記載の薬学的処方物。
【請求項１１】
前記薬学的処方物が連続注入により送達される、請求項１〜３のいずれかに記載の薬学的処方物。
【請求項１２】
前記被験体が、アテローム性動脈硬化症、Ｉ型糖尿病、ＩＩ型糖尿病、冠状動脈疾患、硬皮症、脳卒中、拡張期機能不全、家族性高コレステロール血症、孤立性収縮期高血圧、原発性高血圧、二次性高血圧、左室肥大、長期間喫煙に関連する動脈壁の硬化、肥満に関連する動脈壁の硬化、年齢に関連する動脈壁の硬化、全身性エリテマトーデス、子癇前症および高コレステロール血症からなる群より選択される１つ以上の病気と診断されている、請求項１〜３のいずれかに記載の薬学的処方物。
【請求項１３】
前記被験体が閉経周辺期の女性、閉経期の女性または閉経後の女性である、請求項１〜３のいずれかに記載の薬学的処方物。
【請求項１４】
被験体における動脈コンプライアンスを増加させるための薬学的処方物であって、ここで該被験体において測定された局所的な動脈コンプライアンスが、健常被験体における全体的な動脈コンプライアンスと比較して該被験体において減少しており、そして該薬学的処方物は、該被験体における動脈コンプライアンスを増加させるために有効な量のレラキシンを含有する、薬学的処方物。
【請求項１５】
前記被験体における前記局所的な動脈コンプライアンスが前記薬学的処方物の投与後少なくとも１０％増加する、請求項１４に記載の薬学的処方物。
【請求項１６】
前記被験体における前記動脈コンプライアンスが前記薬学的処方物の投与後１５〜２０％増加する、請求項１４に記載の薬学的処方物。
【請求項１７】
前記薬学的処方物が、レラキシンの血清濃度を約０．５〜８０ｎｇ／ｍｌに維持するように所定の速度で前記被験体に投与される、請求項１４に記載の薬学的処方物。
【請求項１８】
前記レラキシンが組換えヒトレラキシンである、請求項１４に記載の薬学的処方物。
【請求項１９】
前記薬学的処方物が毎日投与される、請求項１４に記載の薬学的処方物。
【請求項２０】
前記薬学的処方物が注射可能な処方物である、請求項１４に記載の薬学的処方物。
【請求項２１】
前記薬学的処方物が徐放性処方物である、請求項１４に記載の薬学的処方物。
【請求項２２】
前記薬学的処方物が連続注入により送達される、請求項１４に記載の薬学的処方物。
【請求項２３】
前記被験体が、アテローム性動脈硬化症、Ｉ型糖尿病、ＩＩ型糖尿病、冠状動脈疾患、硬皮症、脳卒中、拡張期機能不全、家族性高コレステロール血症、孤立性収縮期高血圧、原発性高血圧、二次性高血圧、左室肥大、長期間喫煙に関連する動脈壁の硬化、肥満に関連する動脈壁の硬化、年齢に関連する動脈壁の硬化、全身性エリテマトーデス、子癇前症および高コレステロール血症からなる群より選択される１つ以上の病気と診断されている、請求項１４に記載の薬学的処方物。
【請求項２４】
前記被験体が閉経周辺期の女性、閉経期の女性または閉経後の女性である、請求項１４に記載の薬学的処方物。
【請求項２５】
被験体における動脈コンプライアンスを増加させるための薬学的処方物であって、ここで該被験体において測定された限局的な動脈コンプライアンスが健常被験体における全体的な動脈コンプライアンスと比較して該被験体において減少しており、該薬学的処方物は、該被験体における動脈コンプライアンスを増加させるために有効な量のレラキシンを含有する、薬学的処方物。
【請求項２６】
前記限局的な動脈コンプライアンスが脈波速度を用いて測定される、請求項２５に記載の薬学的処方物。
【請求項２７】
前記被験体における前記限局的な動脈コンプライアンスが、該被験体への前記処方物の投与後少なくとも１０％増加する、請求項２５に記載の薬学的処方物。
【請求項２８】
前記被験体における前記限局的な動脈コンプライアンスが、該被験体への前記薬学的処方物の投与後１５〜２０％増加する、請求項２５に記載の薬学的処方物。
【請求項２９】
前記薬学的処方物が、レラキシンの血清濃度を約０．５〜８０ｎｇ／ｍｌに維持するように所定の速度で前記被験体に投与される、請求項２５に記載の薬学的処方物。
【請求項３０】
前記レラキシンが組換えヒトレラキシンである、請求項２５に記載の薬学的処方物。
【請求項３１】
前記薬学的処方物が毎日投与される、請求項２５に記載の薬学的処方物。
【請求項３２】
前記薬学的処方物が注射可能な処方物である、請求項２５に記載の薬学的処方物。
【請求項３３】
前記薬学的処方物が徐放性処方物である、請求項２５に記載の薬学的処方物。
【請求項３４】
前記薬学的処方物が連続注入により送達される、請求項２５に記載の薬学的処方物。
【請求項３５】
前記被験体が、アテローム性動脈硬化症、Ｉ型糖尿病、ＩＩ型糖尿病、冠状動脈疾患、硬皮症、脳卒中、拡張期機能不全、家族性高コレステロール血症、孤立性収縮期高血圧、原発性高血圧、二次性高血圧、左室肥大、長期間喫煙に関連する動脈壁の硬化、肥満に関連する動脈壁の硬化、年齢に関連する動脈壁の硬化、全身性エリテマトーデス、子癇前症および高コレステロール血症からなる群より選択される１つ以上の病気と診断されている、請求項２５に記載の薬学的処方物。
【請求項３６】
前記被験体が閉経周辺期の女性、閉経期の女性または閉経後の女性である、請求項２５に記載の薬学的処方物。
【手続補正書】
【提出日】平成20年3月7日(2008.3.7)
【手続補正１】
【補正対象書類名】特許請求の範囲
【補正対象項目名】全文
【補正方法】変更
【補正の内容】
【特許請求の範囲】
【請求項１】
以下を含有する、組成物：
（ａ）以下の（ｉ）と（ｉｉ）との反応生成物から誘導された実質的に窒素を含まない分散剤：
（ｉ）ポリアルケニル置換アシル化剤；および
（ｉｉ）ポリオール；
（ｂ）第一級ヒドロカルビルジチオリン酸金属；
（ｃ）潤滑粘性のあるオイル；および
（ｄ）必要に応じて、粘度調整剤、
ここで、該組成物は、実質的に窒素を含まない分散剤から誘導された窒素を約３５ｐｐｍ以下で含有する、
組成物。
【請求項２】
成分（ａ）が、窒素を含まない、請求項１に記載の組成物。
【請求項３】
さらに、粘度調整剤を含有し、そしてさらに、少なくとも１種の他の性能添加剤を含有し、該他の性能添加剤が、金属不活性化剤、清浄剤および酸化防止剤を含む、請求項１に記載の組成物。
【請求項４】
前記実質的に窒素を含まない分散剤が、（ｉ）ポリアルケニル置換ジカルボン酸無水物またはそれらの誘導体と（ｉｉ）ポリオールとの反応生成物から誘導される、請求項１に記載の組成物。
【請求項５】
前記実質的に窒素を含まない分散剤が、約５００〜約５０００の数平均分子量を有するポリアルケニル基を含有する、請求項４に記載の組成物。
【請求項６】
前記ポリオールが、ポリオキシアルキレングリコール、多価アルコールまたはそれらの混合物であり；
前記第一級ヒドロカルビルジチオリン酸金属が、第一級ジヒドロカルビルジチオリン酸亜鉛であり、各ヒドロカルビル基が、約２個〜約２０個の炭素原子を含有し；
前記粘度調整剤が、ポリ（メタ）アクリル酸エステル、オレフィン共重合体またはそれらの混合物を含み；
前記潤滑粘性のあるオイルが、ＡＰＩ  第ＩＩ族、第ＩＩＩ族もしくは第ＩＶ族オイルまたはそれらの混合物を含む、
請求項１に記載の組成物。
【請求項７】
前記ポリオールが、エチレングリコール、プロピレングリコール、ブチレングリコール、トリメチレングリコール、グリセロール、トリメチロールプロパン、ペンタエリスリトール、エリスリトール、アラビトール、ソルビトール、マンニトールまたはそれらの混合物を含み；
前記第一級ヒドロカルビルジチオリン酸金属が、ジ−（ヘプチル）ジチオリン酸亜鉛、ジ−（オクチル）ジチオリン酸亜鉛、ジ−（２−エチルヘキシル）ジチオリン酸亜鉛、ジ−（ノニル）ジチオリン酸亜鉛、ジ−（デシル）ジチオリン酸亜鉛、ジ−（ドデシル）ジチオリン酸亜鉛またはそれらの混合物を含む、
請求項６に記載の組成物。
【請求項８】
前記金属不活性化剤が、少なくとも１つの環位置でヒドロカルビル基置換を有するベンゾトリアゾールであり；
前記清浄剤が、フェネート、硫化フェネートまたはそれらの混合物であり；
前記酸化防止剤が、ヒンダードフェノール、ジフェニルアミンまたはそれらの混合物を含む、
請求項１に記載の組成物。
【請求項９】
請求項１に記載の組成物であって、ここで：
（ａ）前記実質的に窒素を含まない分散剤は、オイルを含まない基準で、該組成物の約０．０１重量％〜約３０重量％で存在している；
（ｂ）前記第一級ヒドロカルビルジチオリン酸金属は、オイルを含まない基準で、該組成物の約０．０１重量％〜約３０重量％で存在している；
（ｃ）前記潤滑粘性のあるオイルは、該組成物の約５０重量％〜約９９．９重量％で存在している；
（ｄ）前記粘度調整剤は、オイルを含まない基準で、該組成物の約０重量％〜約３０重量％で存在している；
（ｅ）金属不活性化剤は、オイルを含まない基準で、該組成物の約０重量％〜約５重量％で存在している；
（ｆ）酸化防止剤は、オイルを含まない基準で、該組成物の約０重量％〜約３０重量％で存在している；そして
（ｇ）清浄剤は、オイルを含まない基準で、該組成物の約０重量％〜約１０重量％で存在している、
組成物。
【請求項１０】
組成物を調製するプロセスであって、該プロセスは、以下を混合する工程を包含する：
（ａ）以下の（ｉ）と（ｉｉ）との反応生成物から誘導された実質的に窒素を含まない分散剤：
（ｉ）ポリアルケニル置換アシル化剤；および
（ｉｉ）ポリオール；
（ｂ）第一級ヒドロカルビルジチオリン酸金属；
（ｃ）潤滑粘性のあるオイル；および
（ｄ）必要に応じて、粘度調整剤、
ここで、該組成物は、実質的に窒素を含まない分散剤から誘導された窒素を約３５ｐｐｍ以下で含有する、
プロセス。
【請求項１１】
回転エネルギーを貯蔵エネルギーレザバに移し、後に、該貯蔵エネルギーを回転エネルギーに再変換して推進を助けることができる車両液圧系統を潤滑させる方法であって、該方法は、以下を含有する組成物を使用する：
（ａ）以下の（ｉ）と（ｉｉ）との反応生成物から誘導された実質的に窒素を含まない分散剤：
（ｉ）ポリアルケニル置換アシル化剤；および
（ｉｉ）ポリオール；および
（ｂ）潤滑粘性のあるオイル。
【請求項１２】
前記車両液圧系統が、液圧ランチアシスト、静液圧変速機またはそれらの混成である、請求項１１に記載の方法。
【請求項１３】
液圧作動液に１つまたはそれ以上の性能特性を与える、請求項１に記載の組成物の使用であって、該性能特性は、清浄性の向上、摩耗の低下、剪断安定性の向上、低温粘度特性の向上、高温粘度特性の向上または長い寿命を含む、使用。
【手続補正書】
【提出日】平成20年3月10日(2008.3.10)
【手続補正１】
【補正対象書類名】特許請求の範囲
【補正対象項目名】全文
【補正方法】変更
【補正の内容】
【特許請求の範囲】
【請求項１】
部分的又は完全に放射を透過する層（３）の上に支持されるサブミクロン、ナノメートル・スケールの複数の光学素子（２）を有するナノ結像装置であって、部分的又は完全に放射を透過する層は放射感受層（４）の頂部に位置し、この放射感受層は、各光学素子の下に放射によって個別に影響される放射採取素子が存在するようにパターン化されているナノ結像装置。
【請求項２】
前記の個別の光学素子の材料がこれらをレンズとして機能させる性質を有する請求項１に記載のナノ結像装置。
【請求項３】
前記の部分的又は完全に放射を透過する層（２又は３）が、均質性材料又は異質性材料、例えばファイバ、スペーサ、又は流体、又はこれらの組合せからなる層から構成されてもよく、この材料はその体積、間隔、曲率の変化や、その他の形状変化、又は化学作用に対して可鍛性を有する請求項２に記載のナノ結像装置。
【請求項４】
集束、光濾過、光学的修正、又はズーミングの機能を、流体的毛管力、分子再配列、化学作用、又はナノサイズのレバー又はファイバによって達成し、光学システムのサイズ又は屈折特性を調節することができる請求項３に記載のナノ結像装置。
【請求項５】
前記光学素子は、光学素子を通過する間にさまざまな波長の放射を操作することを可能にする屈折性材料のさまざまな層を有して色収差効果を補償し、個別の光学素子とシステムの材料と可鍛性は、集束、ズーミング、光濾過、及び光学的収差補正を可能にする請求項４に記載のナノ結像装置。
【請求項６】
前記放射採取素子が電子信号を生成する光電デバイスとして働く請求項２に記載のナノ結像装置。
【請求項７】
前記電子信号が、電子的読取りを可能にする電子デジタル処理によってモニタリングされ及び／又は操作される請求項６に記載のナノ結像装置。
【請求項８】
情報を重複する画像強化処理アルゴリズムによって、物理的（幾何学的）に又は電子的に定義されたセンサ・アレイすなわち「複数のセクタ」から、高解像度の画像を得ることができる請求項７に記載のナノ結像装置。
【請求項９】
レンズの各々は僅かに異なる空間的視点を有することになるので、電子的又は幾何学的に定義された複数のセンサ・アレイ・セクタからの複数の情報を処理して、３Ｄ又はステロ版画像を得ることができる請求項８に記載のナノ結像装置。
【請求項１０】
通常の視力ではやっと見えるか、又は大きい、ミクロサイズ、又はナノサイズのデバイスの中に組み込まれ、且つ、１つ又は複数のシャッタ層を備える、請求項２に記載のナノ結像装置。
【請求項１１】
全ての部品が可とう性の材料から作られる請求項１に記載のナノ結像装置。
【請求項１２】
前記の光学素子を可とう性テープの上のように円筒状に又は球状に配置して、広角視野を得る請求項１に記載のナノ結像装置。
【請求項１３】
情報のステッチングと組み合わせた２次元様式で湾曲されたセンサ・アレイを有する広角視野検出器を有して、３６０度のパノラマ結像を生成する請求項１に記載のナノ結像装置。
【請求項１４】
情報のステッチングと組み合わせた３次元様式に球状化されたセンサ・アレイを有する広角視野検出器を有して、これによって全３次元における完全３６０度の「魚眼」結像能力を作り出し、円形、直線的、又はその他の平坦マップ映像を生成する請求項１に記載のナノ結像装置。
【請求項１５】
色彩結像及び分光結像を、同サイズの複数のレンズを利用し、レンズの下で多重波長検知層を使用することによって得ることができる請求項２に記載のナノ結像装置。
【請求項１６】
分光結像及び／又は分光が、レンズの直径をナノメーターレベルで制御することによるナノスケールのレンズの光学特性を向上させることにより達成され、それにより回折限界下で様々な波長を受け入れる、請求項２に記載のナノ結像装置。
【請求項１７】
漸進的に大きいレンズの累積成分を取り除く処理を利用して、直径を徐々に増加／減少させる階段状寸法のレンズが使用される、請求項１６に記載のナノ結像装置。
【請求項１８】
最も小さい直径のレンズは、紫外線波長のみを受け入れ、最も大きい直径のレンズは、赤外線放射までの全ての波長を受け入れる、請求項１７に記載のナノ結像装置。
【請求項１９】
二つ以上のレンズの限定されたセットの直径をナノメーターレベルで制御することにより、カラー結像が達成される、請求項１６に記載のナノ結像装置。
【請求項２０】
異なる直径のレンズが使用されて、標準の（例えば、ＲＧＢ，ＣＭＹＫ）或いは擬似のカラー処理に必要なカラーコードを生じさせるように次第に追加的に組み合わされる別個の波長を検出する、請求項１９に記載のナノ結像装置。
【請求項２１】
電子的読み出し信号は複数の方法で電子的に処理されて、更に埋め込まれる処理及び蓄積回路に送られ、或いは、情報を別個の或いは離れた装置に送られ、観察、蓄積、再送付／再放送のために記録される、請求項７に記載のナノ結像装置。
【請求項２２】
複数のナノ結像装置が分散配置され相互に連通する、及び／又は、中央演算装置が複数の情報を検索し、情報が干渉して組み合わされるか障害の周りに見える複数の視点を形成する、請求項１に記載のナノ結像装置。
【請求項２３】
複数のナノ結像装置が追跡装置として使用されて全三次元能力を可能にし、同様に未知の対象の真三次元測定を行なう測定ステーションも可能にする、請求項２２に記載のナノ結像装置。
【手続補正書】
【提出日】平成20年2月14日(2008.2.14)
【手続補正１】
【補正対象書類名】特許請求の範囲
【補正対象項目名】全文
【補正方法】変更
【補正の内容】
【特許請求の範囲】
【請求項１】
流体の流れを測定するシステムであって、
流体を収容し流体が通る壁を有する管体と、該管体の壁に互いに間隔を有して配置され、配置された位置での流体と管体の温度を測定する２以上の熱感知器と、管体の異なる部位に配備され、管体の中の流体を加熱して、前記各位置間を所定の温度差に維持するために、電流を管体の壁の中へ流すことを可能とする２以上の電力供給手段を具える流れ感知装置と、
流れ感知装置が収容されるハウジング本体と、
前記各位置で所定の温度差を維持するために、電力供給手段に供給される電力レベルの測定値を得る制御機構と、
制御機構に応答可能で、制御機構によって得られた測定値に基づいて流体の流量の測定結果を提供する表示機構と、
を具えているシステム。
【請求項２】
ハウジング本体は、導電性材料から作られる請求項１のシステム。
【請求項３】
ハウジング本体は、金属から作られる請求項２のシステム。
【請求項４】
ハウジング本体の金属は、アルミニウムを含んでいる請求項３のシステム。
【請求項５】
第１の熱感知器は、電力供給手段から流体の流れ方向の上流位置にて、管体に配備される請求項１のシステム。
【請求項６】
熱供給手段は、管体上に互いに間隔を有して配備された第１の熱供給手段と第２の熱供給手段を含んでおり、第２の熱感知器は、管体上に第１の熱供給手段と第２の熱供給手段の間に配置されている請求項１のシステム。
【請求項７】
第２の熱感知器は、管体の第１の熱供給手段と第２の熱供給手段との中間に配置される請求項６のシステム。
【請求項８】
管体の壁は、熱供給手段が取り付けられた位置間での横断面形状が扁平な楕円形である請求項１のシステム。
【請求項９】
ハウジング本体の中にある管体の長さ方向の少なくとも一部分を取り囲む熱交換器部材をさらに含んでいる請求項１のシステム。
【請求項１０】
ハウジング本体の中で、管体と熱交換器部材との間に配備された断熱スリーブをさらに含んでいる請求項９のシステム。
【請求項１１】
熱感知器を制御機構に接続する導電体と、該導電体をハウジング本体に取り付けるための端子ブロックをさらに含んでいる請求項１のシステム。
【請求項１２】
熱感知器は熱電対である請求項１のシステム。
【請求項１３】
熱感知用熱電対によって感知された温度差の測定結果を作成する増幅器をさらに含んでいる請求項１２のシステム。
【請求項１４】
熱感知器によって測定された温度差の変化を表す信号を、設定された温度差から生成するコンパレータをさらに含んでいる請求項１のシステム。
【請求項１５】
制御機構は、温度差の変化の表示を作成する適応応答回路を含んでいる請求項１のシステム。
【請求項１６】
電流のパルスを、電力供給手段へ印加するドライバー回路をさらに含んでいる請求項１５のシステム。
【請求項１７】
制御信号を、温度差の変化に基づいてドライバー回路へ送信する適応応答回路をさらに含んでいる請求項１６のシステム。
【請求項１８】
流体の流れの流量測定を制御するシステムであって、
流体を収容し流体が通る壁を有する管体と、該管体の壁に互いに間隔を有して配置され、配置された位置での流体と管体の温度を測定する２以上の熱感知器と、管体に配備され、管体の中の流体を加熱して所定の温度差を維持するために、電流を管体の壁の中へ流すことを可能とする２以上の電力供給手段を具える流れ感知装置と、
流れ感知装置が収容されるハウジング本体と、
前記各位置で所定の温度差を維持するために、電力供給手段に供給されるエネルギー量の測定値を得る制御機構と、
制御機構に応答可能で、制御機構によって得られた測定値に基づいて流体の流量の測定結果を提供する表示機構と、
流体の流量の測定結果に応答して、管体内の流体の流れを制御する流れ調節弁と、
を具えているシステム。
【請求項１９】
管体の中の流体の流れを測定するシステムであって、
管体に互いに間隔を有して配置され、配置された位置での流体及び管体の温度を測定する２以上の熱感知器と、
熱感知器で感知された温度差の測定値を作成する増幅器と、
熱感知器によって測定された温度差の変化を表す信号を、設定された温度差から生成するコンパレータと、
管体の異なる部位に配備され、管体の中の流体を加熱して、前記各位置を所定の温度差に維持するために、電流を管体の壁の中へ流すことを可能とする２以上の電力供給手段と、
前記各位置で所定の温度差を維持するために、電力供給手段に供給される電力レベルの測定値を得る制御機構と、
制御機構に応答可能で、制御機構によって得られた測定値に基づいて流体の流量の測定結果を提供する表示機構と、
を具えているシステム。
【請求項２０】
制御機構は、温度差の変化の表示を生成する適応応答回路を含んでいる請求項１９のシステム。
【請求項２１】
電流のパルスを、電力供給手段へ印加するドライバー回路をさらに含んでいる請求項２０のシステム。
【請求項２２】
制御信号を、温度差の変化に基づいてドライバー回路へ送信する適応応答回路をさらに含んでいる請求項２１のシステム。
【手続補正２】
【補正対象書類名】明細書
【補正対象項目名】０００１
【補正方法】変更
【補正の内容】
【０００１】
＜関連出願＞
本発明は、２００４年３月１７日に出願された米国特許出願第１０／８０３１４９号、発明の名称「低流量流体の高精度測定及び制御」に関して、米国特許法第１１９条ｅ項に基づく利益を主張する。
＜発明の分野＞
本発明は、流体が通る管体内の流体の流れを測定するシステムに関する。
【手続補正書】
【提出日】平成20年5月26日(2008.5.26)
【手続補正１】
【補正対象書類名】特許請求の範囲
【補正対象項目名】全文
【補正方法】変更
【補正の内容】
【特許請求の範囲】
【請求項１】
被試験素子の試験を実行するための半導体素子の試験装置であって、
複数のソースメジャメントユニット（以下、「ＳＭＵ」と呼ぶ）と、
前記複数のＳＭＵのうちの対応する別個のＳＭＵに対して、それぞれ電気的に接続されている複数のＳＭＵコネクタと、
前記複数のＳＭＵと前記複数のＳＭＵコネクタとを部分的に囲むテスタ筐体と、
前記テスタ筐体に結合されるように構成され、閉状態において、前記複数のＳＭＵと前記複数のＳＭＵコネクタとを、前記テスタ筐体との間で完全に囲むテストフィクスチャと
を備え、
前記テストフィクスチャは、
前記被試験素子のピンを受け入れるよう構成されたソケットと、
複数のテストフィクスチャコネクタと
を有し、
前記複数のテストフィクスチャコネクタのそれぞれのテストフィクスチャコネクタは、前記被試験素子の別個のピンに対応しており、前記複数のＳＭＵコネクタのうちの対応する別個のＳＭＵコネクタにケーブルで接続された時に、前記ソケットを介して、該テストフィクスチャコネクタから前記被試験素子の該別個のピンへフォース信号を供給し、該テストフィクスチャコネクタにおいて前記被試験素子の該別個のピンからセンス信号を受け取り、前記被試験素子の該別個のピンにおけるガード信号を前記フォース信号と同じ電位に維持するよう構成されている
試験装置。
【請求項２】
請求項１に記載の試験装置であって、
前記テストフィクスチャは、複数の配線群を備えたプリント回路基板を有し、
前記複数の配線群のそれぞれは、前記複数のテストフィクスチャコネクタのうちの別個のテストフィクスチャコネクタと、前記被試験素子の別個のピンとに対応しており、前記複数のテストフィクスチャコネクタのうちの該別個のテストフィクスチャコネクタから前記被試験素子の該別個のピンに前記フォース信号を供給するための少なくとも１つの配線と、前記複数のテストフィクスチャコネクタのうちの該別個のテストフィクスチャコネクタが前記被試験素子の該別個のピンから前記センス信号を受け取るための少なくとも１つの配線と、前記ガード信号が前記被試験素子の該別個のピンを前記フォース信号と同じ電位で完全に取り囲むための少なくとも１つの配線とを含む
試験装置。
【請求項３】
請求項１に記載の試験装置であって、
前記それぞれのテストフィクスチャコネクタは、該テストフィクスチャコネクタに対応する前記ケーブルが該コネクタに完全に受け入れられた時のみ、前記ケーブルの複数の芯線を取り囲む外側金属被覆が、前記ガード信号を伝送するよう構成された前記ケーブルの前記複数の芯線のうちの少なくとも１つに対して電気的に接続されるように構成された内部接続を有する
試験装置。
【請求項４】
請求項１に記載の試験装置であって、
前記ＳＭＵコネクタおよび前記試験コネクタは、それぞれ、ミニＵＳＢケーブルを受け入れるよう構成されている試験装置。
【請求項５】
請求項１に記載の試験装置であって、さらに、
前記被試験素子を覆うよう構成された専用被試験素子カバーを備える試験装置。
【請求項６】
被試験素子の試験を実行するための半導体素子試験装置であって、
複数のソースメジャメントユニット（以下、「ＳＭＵ」と呼ぶ）と、
前記複数のＳＭＵのうちの対応する別個のＳＭＵに対して、それぞれ電気的に接続されている複数のケーブルと、
前記複数のＳＭＵを部分的に囲むテスタ筐体と、
前記テスタ筐体に結合されるように構成され、閉状態において、前記複数のＳＭＵを前記テスタ筐体との間で完全に囲むテストフィクスチャと
を備え、
前記テストフィクスチャは、
前記被試験素子のピンを受け入れるよう構成されたソケットと、
複数のテストフィクスチャコネクタと
を有し、
前記複数のテストフィクスチャコネクタのそれぞれのテストフィクスチャコネクタは、前記被試験素子の別個のピンに対応しており、前記複数のＳＭＵのうちの対応する別個のＳＭＵに前記ケーブルで接続された時に、前記ソケットを介して、該テストフィクスチャコネクタから前記被試験素子の該別個のピンへフォース信号を供給し、該テストフィクスチャコネクタにおいて前記被試験素子の該別個のピンからセンス信号を受け取り、前記被試験素子の該別個のピンにおけるガード信号を前記フォース信号と同じ電位に維持するよう構成されている
試験装置。
【請求項７】
請求項６に記載の試験装置であって、
前記テストフィクスチャは、複数の配線群を備えたプリント回路基板を有し、
前記複数の配線群のそれぞれは、前記複数のテストフィクスチャコネクタのうちの別個のテストフィクスチャコネクタと、前記被試験素子の別個のピンとに対応しており、前記複数のテストフィクスチャコネクタのうちの該別個のテストフィクスチャコネクタから前記被試験素子の該別個のピンに前記フォース信号を供給するための少なくとも１つの配線と、前記複数のテストフィクスチャコネクタのうちの該別個のテストフィクスチャコネクタが前記被試験素子の該別個のピンから前記センス信号を受け取るための少なくとも１つの配線と、前記ガード信号が前記被試験素子の該別個のピンを前記フォース信号と同じ電位で完全に取り囲むための少なくとも１つの配線とを含む
試験装置。
【請求項８】
請求項６に記載の試験装置であって、
前記それぞれのテストフィクスチャコネクタは、該テストフィクスチャコネクタに対応する前記ケーブルが該コネクタに完全に受け入れられた時のみ、前記ケーブルの複数の芯線を取り囲む外側金属被覆が、前記ガード信号を伝送するよう構成された前記ケーブルの前記複数の芯線のうちの少なくとも１つに対して電気的に接続されるように構成された内部接続を有する、
試験装置。
【請求項９】
請求項６に記載の試験装置であって、
前記複数のケーブルのそれぞれは、ＳＭＵコネクタを介して対応するＳＭＵに別個に接続されたミニＵＳＢケーブルであり、
前記複数のテストフィクスチャコネクタは、それぞれ、前記ミニＵＳＢケーブルのうちの対応する１つを受け入れるよう構成されている
試験装置。
【請求項１０】
請求項６に記載の試験装置であって、さらに、
前記被試験素子を覆うよう構成された専用被試験素子カバーを備える試験装置。
【手続補正書】
【提出日】平成19年12月7日(2007.12.7)
【手続補正１】
【補正対象書類名】明細書
【補正対象項目名】００２６
【補正方法】変更
【補正の内容】
【００２６】
可撓性ダイヤフラム４８は、センサ２８の内壁に取り付けられ、内壁から離れて流体の流れの中へ延びている。シール形成および溶接技術が超高純度プロセスの要件を満たしている場合、ダイヤフラム４８は、溶接またはその他の既知の取り付け方法により取り付けることができる。溶接点を考察できるよう拡大し、参照番号５２にて示す。一般的には、溶接点５２は、きわめて小さいことが好ましい。
【手続補正２】
【補正対象書類名】図面
【補正対象項目名】図１
【補正方法】変更
【補正の内容】
【図１】
2007529742.tif 000001